(57)【要約】【課題】電源側端子をモータスタータに簡易な構成の接続モジュールで接続可能とする電磁接触器及びこれを使用したコンビネーションスタータを提供する。【解決手段】操作用電磁石１２を内装するとともに、操作用電磁石のコイルに通電するコイル端子２５を側面に突出形成した第１のフレーム１１Ａと、補助接点を有する接点機構を内装するとともに、一端側に電源側端子３２ａを、他端側に負荷側端子３２ｂを有する第２のフレーム１１Ｂとを備え、第１のフレーム１１Ａ及び第２のフレーム１１Ｂに、第１のフレーム１１Ａに対して、第２のフレーム１１Ｂを、コイル端子２５と電源側端子３２ａとが同一方向となる正規方向連結状態と、コイル端子２５と負荷側端子３２ｂとが同一方向となる逆方向連結状態との双方に装着を可能とするスナップフィット３７を形成した。【選択図】図３
2015220186.tif 000002
【特許請求の範囲】
【請求項１】
操作用電磁石を内装するとともに、当該操作用電磁石のコイルに通電するコイル端子を側面に突出形成した第１のフレームと、補助接点を有する接点機構を内装するとともに、一端側に電源側端子を、他端側に負荷側端子を有する第２のフレームとを備え、
前記第１のフレーム及び前記第２のフレームに、前記第１のフレームに対して、前記第２のフレームを、前記コイル端子と前記電源側端子とが同一方向となる正規方向連結状態と、前記コイル端子と前記負荷側端子とが同一方向となる逆方向連結状態との双方に装着を可能とするスナップフィットを形成したことを特徴とする電磁接触器。
【請求項２】
前記スナップフィットは、前記第１のフレーム及び第２のフレームの一方の前記電源側端子及び前記負荷側端子の対向面とは異なる対向側面の両端に設けた可撓性を有するフック部と、他方に設けた前記フック部が係合する係合突起とで構成されていることを特徴とする請求項１に記載の電磁接触器。
【請求項３】
前記請求項１又は２に記載の電磁接触器を逆方向連結状態として、電源端子に接続モジュールを介してモータスタータを接続したことを特徴とするコンビネーションスタータ。
【請求項４】
前記電磁接触器、前記接続モジュール及び前記モータスタータがベースプレートに取付けられていることを特徴とする請求項３に記載のコンビネーションスタータ。
【発明の詳細な説明】
【技術分野】
【０００１】
本発明は、補助接点を有する電磁接触器と、この電磁接触器とブレーカ機能とサーマルリレー機能を有するモータスタータとを連結したコンビネーションスタータに関する。
【背景技術】
【０００２】
このコンビネーションスタータとしては、例えば特許文献１に記載されているパッケージモータスタータが知られている。
このパッケージモータスタータは、遮断機、電磁接触器、過電流継電器及び計器用変流器を各々ユニット部品形式に組み合わせた構成を有する。
【先行技術文献】
【特許文献】
【０００３】
【特許文献１】特開平１０−１４１８４号公報
【発明の概要】
【発明が解決しようとする課題】
【０００４】
ところで、上記従来のパッケージモータスタータは、遮断機、電磁接触器、過電流継電器及び計器用変流器を組み合わせているが、最近では、ブレーカ機能及びサーマルリレー機能を有するモータスタータが提案されており、このモータスタータと電磁接触器とを組み合わせることにより、コンビネーションスタータを構成することができる。
この場合、コイル端子が側面に形成されていない電磁接触器では、電源側端子及び負荷側端子を形成した側面形状が平坦面で等しいので、モータスタータに電源端子を接続することに何ら問題を生じない。
【０００５】
しかしながら、補助接点を有し、コイル端子が側面から突出して形成されている電磁接触器では、電源側端子側にコイル端子が突出して形成されており、負荷側端子側には上下フレームを線ばねを用いて固定する線ばね固定部が突出形成されている。このような、コイル端子及び線ばね固定部が側面から突出されている電磁接触器では、コイル端子がモータスタータとは反対側となるように負荷側端子側をモータスタータに連結することになり、電磁接触器とモータスタータとの間が平坦面ではないので高価な接続モジュールで接続する必要があるという未解決の課題がある。
そこで、本発明は、上記従来例の未解決の課題に着目してなされたものであり、電源側端子をモータスタータに簡易な構成の接続モジュールで接続可能とする電磁接触器及びこれを使用したコンビネーションスタータを提供することを目的としている。
【課題を解決するための手段】
【０００６】
上記目的を達成するために、本発明に係る電磁接触器の一態様は、操作用電磁石を内装するとともに、当該操作用電磁石のコイルに通電するコイル端子を側面に突出形成した第１のフレームと、補助接点を有する接点機構を内装するとともに、一端側に電源側端子を、他端側に負荷側端子を有する第２のフレームとを備えている。第１のフレーム及び第２のフレームには、第１のフレームに対して、第２のフレームを、コイル端子と前記電源側端子とが同一方向となる正規方向連結状態と、前記コイル端子と前記負荷側端子とが同一方向となる逆方向連結状態との双方に装着を可能とするスナップフィットを形成している。
また、本発明に係るコンビネーションスタータの一態様は、上述した電磁接触器を逆方向連結状態として、電源端子に接続モジュールを介してモータスタータを接続している。
【発明の効果】
【０００７】
本発明によれば、補助接点を有する電磁接触器を、電磁石を内装する第１のフレームと接点機構を内装する第２のフレームとをスナップフィットで連結し、第１のフレームに対して、第２のフレームを正規方向連結状態と、この正規方向連結状態とは電源側端子及び負荷側端子を逆方向とした逆方向連結状態との双方が可能な構成としたので、電磁接触器単体で使用する場合には正規方向連結状態とし、モータスタータと連結する場合には逆方向連結状態とすることにより、一つの電磁接触器で２通りの使用方法を選択することができる。また、第１のフレーム及び第２のフレームをスナップフィットで連結することにより、コイル端子とは反対側を平坦面とすることが可能となり、モータスタータとの接続に使用する接続モジュールの構成を簡易化することができる。
さらに、上記電磁接触器を逆方向連結状態としてモータスタータと連結することにより、コイル端子をモータスタータとは反対側とした状態で電源側端子をモータスタータに接続することができ、使用者に違和感を与えることを防止することができるとともに、接続モジュールを簡易化することができる。
【図面の簡単な説明】
【０００８】
【図１】本発明に係る電磁接触器の正規方向連結状態を示す外観斜視図である。
【図２】図１の正面図である。
【図３】図２のIII−III線上の断面図である。
【図４】図２のIV−IV線上の断面図である。
【図５】第1のフレームと第２のフレームとを切り離した状態を示す分解斜視図である。
【図６】第１のフレームを示す図であって、（ａ）は正面図、（ｂ）は側面図、（ｃ）は平面図である。
【図７】第２のフレームを示す図であって、（ａ）は平面図、（ｂ）は側面図、（ｃ）は背面図である。
【図８】スナップフィットを示す拡大断面図である。
【図９】本発明に係る電磁接触器の逆方向連結状態を示す外観斜視図である。
【図１０】本発明のコンビネーションスタータを示す斜視図である。
【図１１】図１０のコンビネーションスタータの側面図である。
【図１２】モータスタータと電磁接触器とを連結する接続モジュールを示す図であって、（ａ）平面側を示す斜視図、（ｂ）は底面側を示す側斜視図である。
【発明を実施するための形態】
【０００９】
以下、本発明の一実施形態について図面を伴って説明する。
本発明に係る電磁接触器１０は、図１に示すように、互いに連結される第１のフレーム１１Ａと第２のフレーム１１Ｂとで構成されている。これら第１のフレーム１１Ａ及び第２のフレーム１１Ｂは図１及び図２に示す正規方向連結状態とこの正規方向連結状態に対して一方を１８０度回転させた図９に示す逆方向連結状態との双方で連結可能に構成されている。
【００１０】
第１のフレーム１１Ａには、図３及び図４に示すように、操作用電磁石１２が内装されている。第２のフレーム１１Ｂには、図３及び図４に示すように、操作用電磁石１２によってオン・オフ駆動される接点機構１３が内装されている。
第１のフレーム１１Ａは、操作用電磁石１２を収容する前端を開放した有底角筒状部２１を有する。この有底角筒状部２１は、正面から見て、図６（ａ）に示すように、中央部の幅広部２１ａと、この幅広部２１ａの一方の対向側壁例えば上下側壁に幅広部２１ａと連通するように幅広部２１ａの上下方向の中心線を中心として上下線対称に形成された幅狭部２１ｂ及び２１ｃとで構成されている。そして、幅広部２１ａを挟む幅狭部２１ｂ及び幅狭部２１ｃ間の底面にＥ字状の固定鉄心２２が突出部２２ａ〜２２ｃを前方に向け且つ連結部２２ｄを底面に接触させて装着されている。
この固定鉄心２２の中央突出部２２ｂには、図４及び図６に示すように、励磁コイル２３ａを巻装したスプール２３が装着されている。このスプール２３には、第１のフレーム１１Ａの一方の幅狭部２１ｂから外方に突出する端子台２４に固定されたコイル端子２５が一体に形成されている。
【００１１】
また、第１のフレーム１１Ａの幅広部２１ａの他方の対向側壁例えば左右側壁の前端には、図３及び図５に示すように、幅狭部２１ｂ及び２１ｃ側の両端部にそれぞれ前方に延長するフック部２６が上下方向及び左右方向の対称位置に形成されている。このフック部２６は、図８に拡大図示するように、幅広部２１ａの前端から前方に延長する可撓性を有する比較的幅広の突出片部２６ａと、この突出片部２６ａの先端内側に形成された係合部２６ｂとから構成されている。係合部２６ｂは、突出片部２６ａの前端から後方に行くに従い厚みが厚くなる傾斜面２６ｃと、この傾斜面２６ｃの後端から後方に僅かに延長する平坦面２６ｄと、この平坦面２６ｄの後方端から突出片部２６ａに向かう突出片部２６ａと直角な係止面２６ｅとで断面台形状に形成されている。
ここで、両端部のフック部２６とこれに近い幅狭部２１ｂ及び２１ｃとの外方側端部との距離Ｌ１及びＬ２が互いに等しく設定されている。
さらに、第１のフレーム１１Ａの有底角筒状部２１の底部四隅には取付孔を有する取付板部２７が形成されている。
【００１２】
第２のフレーム１１Ｂは、図４（ａ）〜（ｃ）に示すように、第１のフレーム１１Ａと連結する連結部側の形状が第１のフレーム１１Ａの有底角筒状部２１と同一形状を有する角筒部３０を備えている。この角筒部３０は、有底角筒状部２１と同様に幅広部３１ａとこの幅広部３１ａと連通する幅狭部３１ｂ及び３１ｃとを有する。
また、角筒部３０は、図５に示すように幅狭部３１ｂ及び３１ｃが連通していない対向側面板部３０ａ及び３０ｂが連結部側とは反対側に延長している。これら対向側面板部３０ａ及び３０ｂの延長端部の中央部間に連結板部３０ｃが橋架されている。この連結板部３０ｃの上側には、対向側面板部３０ａ及び３０ｂ間を平行に仕切る複数例えば３枚の隔壁３１が形成されて主回路電源側端子部３２ａ及び補助端子部３３ａが設けられている。
また、連結板部３０ｃの下側には、対向側面板部３０ａ及び３０ｂ間を平行に仕切る複数例えば３枚の隔壁３４が形成されて主回路負荷側端子部３２ｂ及び補助端子部３３ｂが設けられている。
【００１３】
さらに、対向側面板部３０ａ及び３０ｂには、第１のフレーム１１Ａのフック部２６に対向する４個所に、図８に拡大図示するように後端側から側面を開放する凹部３５がそれぞれ形成され、これら凹部３５の底部における後端側に第１のフレーム１１Ａに形成されたフック部２６の係合部２６ｂが外側から係合する係合突起３６がそれぞれ形成されている。なお、凹部３５は、図８に示すように、係合突起３６にフック部２６の係合部２６ｂが係止された状態で、前端側に工具挿入用空間部３５ａが形成されている。この工具挿入用空間部３５ａにマイナスねじ回しを挿入してフック部２６の係合部２６ｂと係合突起３６の係止状態を解除することができる。
【００１４】
各係合突起３６は、図８に拡大して示すように、凹部３５の後端面から前方に向かうに従い徐々に外側に厚みが増加して形成された傾斜面３６ａと、この傾斜面３６ａの下端側から前方に延長する平坦面３６ｂと、この平坦面３６ｂの前端から凹部３５の底面側に延長する係止面３６ｃとを備えている。
そして、第１のフレーム１１Ａに形成したフック部２６と第２のフレーム１１Ｂに形成した係合突起３６とでスナップフィット３７が構成されている。
また、連結板部３０ｃの背面側に消弧室３８が形成され、この消弧室３８内に可動接触子３９ａを保持する接点支え３９が前後方向に摺動可能に保持され、この接点支え３９の背面側に固定鉄心２２に対向する可動鉄心４０が連結され、この可動鉄心４０と第１のフレーム１１Ａのスプール２３との間に図示しない復帰スプリングが配置されている。
【００１５】
さらに、連結板部３０ｃの上面、正面及び下面を覆うように消弧カバー４１が配置され、この消弧カバー４１の正面部に、図２に示すように、主回路電源側端子番号及び補助端子番号と主回路負荷側端子番号及び補助端子番号が標記されている。
そして、第１のフレーム１１Ａと第２のフレーム１１Ｂとが、図８に示すように、第１のフレーム１１Ａのフック部２６を第２のフレーム１１Ｂの係合突起３６に係合させた状態で一体化される。
ここで、第１のフレーム１１Ａと第２のフレーム１１Ｂとの一体化は、電磁接触器単独で使用する場合の図１に示す正規方向連結状態と、後述するモータスタータと連結してコンビネーションスタータとして使用する場合の図９に示す逆方向連結状態との双方の状態で連結することができる。
【００１６】
すなわち、正規方向連結状態では、図１に示すように、第１のフレーム１１Ａのコイル端子２５と第２のフレーム１１Ｂの主回路電源側端子部３２ａ及び補助端子部３３ａとが対向するように連結する。
また、逆方向連結状態では、図９に示すように、正規方向連結状態から第２のフレーム１１Ｂを正面から見て１８０度回転させて第１のフレーム１１Ａのコイル端子２５と第２のフレーム１１Ｂの主回路負荷側端子部３２ｂ及び補助端子部３３ｂとが対向するように連結する。
【００１７】
これら正規方向連結状態及び逆方向連結状態の双方とも、第１のフレーム１１Ａと第２のフレーム１１Ｂとの連結は、第１のフレーム１１Ａのフック部２６と、第２のフレーム１１Ｂの係合突起３６とを対向させた状態で、例えば第２のフレーム１１Ｂを第１のフレーム１１Ａの有底角筒状部２１の前端面と第２のフレーム１１Ｂの角筒部３０の後端面とが接触するように押圧する。
これにより、先ず、第１のフレーム１１Ａのフック部２６における係合部２６ｂの傾斜面２６ｃが第２のフレーム１１Ｂの係合突起３６における傾斜面３６ａに当接する。さらに、第２のフレーム１１Ｂを第１のフレーム１１Ａ側に押圧すると、フック部２６の突出片部２６ａが外側に撓みながら傾斜面２６ｃと平坦面２６ｄとの結合部が係合突起３６の傾斜面３６ａに係合する状態から平坦面３６ｂに係合する状態となる。その後、フック部２６の平坦面２６ｄと係止面２６ｅとの結合部が平坦面３６ｂの前端に達したときに、突出片部２６ａの弾性によって係合部２６ｂの係止面２６ｅと係合突起３６の係止面３６ｃとが接触して連結状態となる。
【００１８】
このとき、第１のフレーム１１Ａの有底角筒状部２１の開口端部と第２のフレーム１１Ｂの角筒部３０の開口端部とが互いに同一形状に形成され、且つ第１のフレーム１１Ａのフック部２６が上下及び左右対称に形成され、さらに第２のフレーム１１Ｂの係合突起３６がフック部２６に対向する位置に形成されている。
このため、第１のフレーム１１Ａと第２のフレーム１１Ｂとは、第１のフレーム１１Ａのコイル端子２５と第２のフレーム１１Ｂの主回路電源側端子部３２ａ及び補助端子部３３ａとが同一側面に配置される正規方向連結状態と、この正規方向連結状態に対して第２のフレーム１１Ｂを１８０度回転させて第１のフレーム１１Ａのコイル端子２５と第２のフレーム１１Ｂの主回路負荷側端子部３２ｂ及び補助端子部３３ｂとが同一側面に配置される逆方向連結状態とを選択することが可能となる。
【００１９】
なお、第１のフレーム１１Ａから第２のフレーム１１Ｂを取り外す場合には、各工具挿入用空間部３５ａにマイナスねじ回しを挿入してフック部２６を外側に撓ませ、その係止面２６ｅと係合突起３６の係止面３６ｄとの係止状態を離脱させることにより、第２のフレーム１１Ｂを容易に取り外すことができる。
また、逆方向連結状態では、主回路電源側端子部３２ａ及び補助端子部３３ａがコイル端子２５の存在しない平坦面側に配置されることになる。このため、主回路電源側端子部３２ａに、例えばマニュアルモータスタータを接続する場合の接続モジュールを薄く形成することが可能となり、接続モジュールを簡易化できる。
したがって、後述するように、電磁接触器１０とモータスタータとを一体に連接したコンビネーションスタータを構成する場合に、電磁接触器１０の主回路電源側端子の接続関係を明確に表示することができる。
【００２０】
次に、本発明の第２の実施形態について図１０〜図１１を伴って説明する。
この第２の実施形態は、前述した第１の実施形態における電磁接触器とマニュアルモータスタータとを連結してコンビネーションスタータを構成するようにしたものである。
このコンビネーションスタータ５０は、図１０に示すように、電磁接触器１０とマニュアルモータスタータ６０とが接続モジュール７０を介して連結された構成を有する。
電磁接触器１０は、図１０に示すように、第１のフレーム１１Ａに対して第２のフレーム１１Ｂを逆方向結合状態として一体化することにより、コイル端子２５と主回路負荷側端子部３２ｂ及び補助端子部３３ｂとが同一側面に位置するように構成されている。したがって、電磁接触器１０のコイル端子２５とは反対側の側面すなわち主回路電源側端子部３２ａ及び補助端子部３３ａ側の側面が取付板部２７を除いて平坦面となっている。
【００２１】
マニュアルモータスタータ６０は、ブレーカ機能とサーマルリレー機能とを有し、欠相、短絡、過負荷から三相モータ回路を保護するように構成されている。このマニュアルモータスタータ６０は、図１０に示すように、上端部側に配置された主回路電源側端子部６１ａと、下端部側に配置された主回路負荷側端子部６１ｂと、中央部に配置された操作ハンドル６１ｃと定格電流可調整ダイヤル６１ｄと、トリップ表示部６１ｅとが形成されている。
ここで、主回路電源側端子部６１ａ及び主回路負荷側端子部６１ｂは、図１１に示すように、電磁接触器１０の主回路電源側端子部３２ａ及び補助端子部３３ｂの高さに比較して約半分程度の高さとなっている。
したがって、マニュアルモータスタータ６０の主回路負荷側端子部６１ｂと電磁接触器１０の主回路電源側端子部３２ａとを接続するために接続モジュール７０が設けられている。
【００２２】
この接続モジュール７０は、図１２（ａ）及び（ｂ）に示すように、絶縁性を有する樹脂ケース７１を有する。この樹脂ケース７１の一方の面には、電磁接触器１０の主回路電源側端子部３２ａに接続するように高さが設定された３本の導体７２が平行に突出されている。また、樹脂ケース７１の他方の面には、マニュアルモータスタータ６０の主回路負荷側端子部６１ｂに接続されるように高さが設定された３本の導体７３が平行に突出されている。導体７２及び７３は、樹脂ケース７１の内部で電気的に連結されている。
そして、第１のフレーム１１Ａ及び第２のフレーム１１Ｂを逆方向連結状態で連結した電磁接触器１０のコイル端子２５とは反対側の平坦面側に接続モジュール７０を装着する。すなわち、接続モジュール７０の導体７２を電磁接触器１０の第２のフレーム１１Ｂにおける主回路電源側端子部３２ａに接続する。
【００２３】
次いで、接続モジュール７０の導体７３をマニュアルモータスタータ６０の主回路負荷側端子部６１ｂに接続する。これにより、電磁接触器１０、接続モジュール７０及びマニュアルモータスタータ６０が電気的且つ機械的に接続されてコンビネーションスタータ５０が構成される。このコンビネーションスタータ５０を構成するには、マニュアルモータスタータ６０に接続モジュール７０を装着してから接続モジュール７０を電磁接触器１０に装着するようにしてもよい。
そして、コンビネーションスタータ５０のマニュアルモータスタータ６０の主回路電源側端子部６１ａを三相交流電源に接続し、電磁接触器１０の主回路負荷側端子部３２ｂを三相モータに接続することにより、三相モータを過電流、欠相、短絡から保護することができる。
このように、第２の実施形態によると、コンビネーションスタータ５０を構成する際に、電磁接触器１０が逆方向連結状態となっているので、コイル端子２５を接続モジュール７０とは反対側とした状態で、主回路電源側端子部３２ａが接続モジュール７０側となる。
【００２４】
このため、コンビネーションスタータ５０を構成する場合に、予め電磁接触器１０を逆方向連結状態としておくだけで、電磁接触器１０のマニュアルモータスタータ６０と連結する連結面が平坦面となる。このため、電磁接触器１０とマニュアルモータスタータ６０とを連結する接続モジュール７０を図１２に示すように簡単な構成で且つ薄く構成することができる。したがって、接続モジュール７０の製造コストを低減することができる。
このとき、電磁接触器１０の接続モジュール７０側に主回路電源側端子部３２ａ及び補助端子部３３ａが配置されているので、電磁接触器１０と接続モジュール７０及びマニュアルモータスタータ６０との接続作業に使用者が違和感を生じることがないとともに、電磁接触器１０と三相モータとの接続も主回路負荷側端子部３２ｂに三相モータを接続することができ、使用者が違和感を生じることがない。
【００２５】
したがって、コンビネーションスタータ５０用の電磁接触器１０として、通常の電磁接触器とは異なる配置の電磁接触器を別途製作する必要がない。すなわち、電磁接触器単体で使用する場合には正規方向結合状態としてコイル端子２５と主回路電源側端子部３２ａとを同一側面に配置する。一方、コンビネーションスタータ５０として使用する場合には、逆方向結合状態とすることにより、電磁接触器１０のコイル端子２５を接続モジュール７０とは反対側とした状態で、主回路電源側端子部３２ａを接続モジュール７０及びマニュアルモータスタータ６０側とすることができる。
【００２６】
なお、上記各実施形態においては、電磁接触器１０の操作用電磁石１２が交流操作形である場合について説明したが、これに限定されるものではなく、直流操作形の電磁石を適用することができる。
また、上記各実施形態においては、スナップフィット３７のフック部２６を第１のフレーム１１Ａに形成し、係合突起３６を第２のフレーム１１Ｂに形成した場合について説明したが、これに限定されるものではなく、第１のフレーム１１Ａに係合突起３６を形成し、第２のフレーム１１Ｂにフック部２６を形成するようにしてもよい。
【００２７】
さらに、フック部２６及び係合突起３６の配置組数は、４組に限定されるものではなく、２組、６組等の偶数組設けるようにすればよく、要は第１のフレーム１１Ａに対して第２のフレーム１１Ｂを１８０度回転させたときに互いに係合可能に構成されていればよい。
また、上記第２の実施形態においては、電磁接触器１０、接続モジュール７０及びマニュアルモータスタータ６０を直接接続する場合について説明した。しかしながら、本発明では、上記構成に限定されるものではなく、図１１において一点鎖線で示すように、ベースプレート８０を設け、このベースプレート８０に電磁接触器１０、接続モジュール７０及びマニュアルモータスタータ６０を装着するようにしてもよい。さらには、電磁接触器１０及びマニュアルモータスタータ６０を個別の取付レールに装着するようにしてもよい。
【符号の説明】
【００２８】
１０…電磁接触器、１１Ａ…第１のフレーム、１１Ｂ…第２のフレーム、１２…操作用電磁石、１３…接点機構、２１…有底角筒状部、２２…固定鉄心、２３…スプール、２５…コイル端子、２６…フック部、３０…角筒部、３２ａ…主回路電源側端子部、３２ｂ…主回路負荷側端子部、３３ａ，３３ｂ…補助接点、３５…凹部、３６…係合突起、３７…スナップフィット、３９…接点支え、４０…可動鉄心、５０コンビネーションスタータ、６０…マニュアルモータスタータ、６１ａ…主回路電源側端子部、６１ｂ…主回路負荷側端子部、７０…接続モジュール
【図１】
2015220186.tif 000003
【図２】
2015220186.tif 000004
【図３】
2015220186.tif 000005
【図４】
2015220186.tif 000006
【図５】
2015220186.tif 000007
【図６】
2015220186.tif 000008
【図７】
2015220186.tif 000009
【図８】
2015220186.tif 000010
【図９】
2015220186.tif 000011
【図１０】
2015220186.tif 000012
【図１１】
2015220186.tif 000013
【図１２】
2015220186.tif 000014